(57)【要約】【課題】カツラ装着時のカツラのズレおよびズレ上がりを解消し、快適な装着感が得られるカツラ下地キャップを提供する。【解決手段】伸縮性を有していて、カツラ本体と連結した状態で頭部に装着されるカツラ下地キャップ２０。カツラ下地キャップ２０は、ループ状の挿通路２１を外周縁に備えており、この挿通路２１のキャップ内面側には、複数の内面側開口２２が所定間隔で設けられている。スベリ防止面２６を備えた伸縮可能な弾性部材２５が、上記複数の内面側開口２２を通して、挿通路内２１への出入りを繰り返すように蛇行して、挿通路２１に保持されている。キャップ２５の内面側において、弾性部材２５の挿通路外に露出している部分は、スベリ防止面２６をキャップ内面側に向けて露出している。【選択図】図３
2014043663.tif 000002
【特許請求の範囲】
【請求項１】
伸縮性を有していて、カツラ本体（１０）と連結した状態で頭部に装着されるカツラ下地キャップ（２０）であって、
当該カツラ下地キャップは、ループ状の挿通路（２１）を外周縁に備えており、当該挿通路（２１）のキャップ内面側には、複数の内面側開口（２２）が所定間隔で設けられていて、
スベリ止め効果を有する面（２６）を備えた伸縮可能な弾性部材（２５）が、上記複数の内面側開口（２２）を通して、挿通路内（２１）への出入りを繰り返すように蛇行して、当該挿通路（２１）に保持されており、
キャップ内面側において、上記弾性部材（２５）の挿通路外に露出している部分は、上記スベリ止め効果を有する面（２６）をキャップ内面側に向けて露出していることを特徴とする、カツラ下地キャップ。
【請求項２】
上記スベリ止め効果を有する面（２６）は、上記弾性部材（２５）にシリコンをプリント加工して形成されている、請求項１記載のカツラ下地キャップ。
【請求項３】
上記弾性部材（２５）は、カツラ下地キャップに固定されることなくフリーな状態で、挿通路（２１）に保持されていることを特徴とする、請求項１または２記載のカツラ下地キャップ。
【請求項４】
上記カツラ本体（１０）に設けた連結部を係脱可能に受け止める複数の係止部（５１、５２、５３）を外周面に備える、請求項１〜３のいずれか１つに記載のカツラ下地キャップ。
【請求項５】
上記弾性部材（２５）は、着用者の頭部サイズに適合させるための長さ調節部（３０）を備え、
当該長さ調節部（３０）は、挿通路（２１）のキャップ外面側に設けられた一対の外面側開口（２３ａ、２３ｂ）を通してキャップ外面側に露出して配置されている、請求項１〜４のいずれか１つに記載のカツラ下地キャップ。
【請求項６】
上記弾性部材（２５）は、第１部材（４１）および第２部材（４２）で構成されるとともに、上記長さ調節部（３０）を２つ有しており、
各長さ調節部（３０）は、第１部材および第２部材のいずれか一方の端部（４２ａ）に設けたバックル（２８）に、他方の端部（４１ａ）を係合させることで構成されている、請求項５記載のカツラ下地キャップ。
【請求項７】
吸水・速乾性繊維をメッシュ状に編み込んで構成されている、請求項１〜６のいずれか１つに記載のカツラ下地キャップ。
【請求項８】
消臭加工または抗菌防臭加工の少なくとも一方が施されている、請求項１〜７のいずれか１つに記載のカツラ下地キャップ。
【発明の詳細な説明】
【技術分野】
【０００１】
本発明は、多数の擬毛をベース部材に植設してなるカツラと組み合わせて使用されるカツラ下地キャップに関する。本発明のカツラ下地キャップは、特に、先天的あるいは後天的な疾病治療などにより頭部毛髪の一部あるいは全部が脱毛し、皮膚が過敏となっている人が着用する全カツラと組み合わせて使用するのに適している。
【背景技術】
【０００２】
全カツラにおいて、安定した装着感を維持する為に、一般的に通称「カツラ下地ネット」と呼ばれるものを用いて、頭部および自毛を包み込み、その上に全カツラを装着している。図１（ａ）〜（ｃ）は、このような従来のカツラ下地ネットの装着態様を概略的に示している。図１（ａ）に示すように、カツラ下地ネットは、伸縮自在な繊維をメッシュ状に編み込んで、全体が円筒状に成形されている。
【０００３】
このようなカツラ下地ネットとして、カツラの着用感を向上させる為に、カツラ下地ネットの縁部を伸縮性のあるテープ部材や弾性部材を縫着したものや、カツラ下地ネットの縁部にスベリ止め部材を複数箇所縫着したもの、あるいは、スベリ止め部材の形状を波形などに成形し取り付けたものなどが知られている（特許文献１）。
【０００４】
また、全カツラを装着する際に、下地として装着するカツラ下地であって、ヘアピン等の係止具を一切使用せずとも簡便に装着でき、全カツラを被った際の異物感が少なく、カツラのズレも起こしにくいものが知られている（特許文献２）。
【０００５】
さらには、長期に着用しても締め付け感が無く、且つ、頭頂部方向にズレ上がることの無いカツラ下地（特許文献３）や、単独での被着状態でも十分なファッション性を得ることができ、カツラ被着者の軽減を図ることが可能なカツラ下地ネット（特許文献４）、あるいは、全カツラを装着する際に、頭髪をまとめた状態で保持する為のテープ（特許文献５）なども知られている。
【０００６】
さらに、毛髪の一部または頭部全体の毛髪が無い人、あるいは皮膚が過敏な人が全カツラを装着する場合に、全カツラ本体の内面に、サイズ調整可能なインナーキャップを着脱可能に設け、このインナーキャップの内周面の複数箇所に、シリコンゴムを縫製し取り付けた全カツラ（特許文献６）や、両面テープ、接着剤、金属製止め具を用いることなく、全頭カツラをズレることなく被ることができ、且つ、簡単確実に取り付けるカツラ用サポートキャップ（特許文献７）なども知られている。
【先行技術文献】
【特許文献】
【０００７】
【特許文献１】特開２００２−３７１４１９号公報
【特許文献２】実用新案登録第３１５０４９２号公報
【特許文献３】特開２００５−１９４６５３号公報
【特許文献４】実用新案登録第３１１２０４２号公報
【特許文献５】特開平８−１９９４１３号公報
【特許文献６】実用新案登録第３１０１３６１号公報
【特許文献７】特開２０１１−１６２９３６号公報
【発明の概要】
【発明が解決しようとする課題】
【０００８】
しかしながら、特許文献１、２、３のカツラ下地ネットの場合、円筒状に形成されている為、長時間に着用していると、カツラ下地ネットが縦および横にも伸縮性がある為に、カツラ下地ネットの縁部が徐々に頭頂部方向へ持ち上がり、カツラ下地ネットのズレ上がりが生じる。
【０００９】
特許文献４のカツラ下地ネットの場合、編み目の間隔が粗いネットを用いて筒状に頂部が閉塞された略半球状に透過性の無い装飾部を設け成形しているので、全カツラを装着した際にカツラの分け目からの白髪や地肌の露見は緩和できるが、ズレ上がりの解消はできない。
【００１０】
特許文献５に示された頭髪をまとめた状態で保持する為のテープの場合、カツラ下地を被せた上から縁部頭周に一重または二重にテープを巻き付けてカツラ下地を整えることができるが、開示されている長さ７０ｃｍ〜９０ｃｍの伸縮性テープに、端部から３５ｃｍ〜５５ｃｍ以下の一部に面ファスナを配置している為、下地に厚みが増し、カツラを装着した際にフィット感に欠け快適な装着感は得られない問題がある。
【００１１】
また、特許文献６の全カツラの場合、カツラ本体の内面にサイズ調節可能なインナーキャップを着脱可能に設け、該インナーキャップの内周面にスベリ止めを目的として取り付けたシリコンゴムシートにより頭部に密着させ安定した装着を得ているが故に、シリコンゴムの膜厚は自然と薄膜となり、その結果、シリコンゴムの引き裂き強度や耐久性の問題がある。
さらに、この特許文献６に示された全カツラでは、インナーキャップと全カツラの一体化の部材として面ファスナーが提示されているが、全カツラ本体の内面とインナーキャップの外面にそれぞれ面ファスナーを同位置に配置縫着する必要があり、また、面ファスナーを縫着していない全カツラとは一体性に欠けるので、使用する全カツラが限定される。さらに、病気治癒後に頭髪が健全な状態になりインナーキャップの使用が不必要となった場合において、カツラのみを装着する場合、インナーキャップを使用せずに該カツラを装着すると、該カツラの内面に縫着した面ファスナーが直接に頭皮に触れてしまい違和感があり、快適に該カツラが装着できないという問題がある。
【００１２】
特許文献７に示された全頭カツラ用サポートキャップは、伸縮性を有していて、頭から首まですべて通すことが可能な筒状ネットからなり、該サポートキャップの基端側周縁の全周に伸縮性と密着性及び滑り止め作用を有するゴム素材又はウレタン素材をコーティングしてなる帯状の滑り止めシート部とを備える。そして、該滑り止めシート部の輪郭形状を頭髪の生え際ラインの形状とほぼ同形状に形成したことを特徴としている。しかしこのサポートキャップでは、キャップ周縁の滑り止め素材により頭部周囲との密着は得られるが、サポートキャップの形状が筒状である為、サポートキャップを装着する場合に頂部をピン等で纏めて固定する必要があり装着が煩雑である。
また、サポートキャップの形状が筒状である為、長時間の装着では頭部の頂部方向へのズレ上がりを完全に解消出来ない問題がある。
【００１３】
上記従来技術の問題点に鑑み、本発明の目的は、ズレおよびズレ上がりを解消でき、かつ、カツラ本体との一体性が高いカツラ下地キャップを提供し、これにより快適な装着感を得ることである。
【課題を解決するための手段】
【００１４】
本発明のカツラ下地キャップは、伸縮性を有していて、カツラ本体と連結した状態で頭部に装着される。カツラ下地キャップは、ループ状の挿通路を外周縁に備えており、当該挿通路のキャップ内面側には、複数の内面側開口が所定間隔で設けられている。
スベリ防止面（スベリ止め効果を有する面）を備えた伸縮可能な弾性部材が、上記複数の内面側開口を通して、挿通路内への出入りを繰り返すように蛇行して、当該挿通路に保持されている。
キャップ内面側において、上記弾性部材の挿通路外に露出している部分は、上記スベリ防止面をキャップ内面側に向けて露出している。
【発明の効果】
【００１５】
上記のように構成された本発明のカツラ下地キャップにおいては、カツラ本体のベースが直接頭皮に触れることがないので装着感が良く、特に、皮膚が過敏となっている人が着用する全カツラと組み合わせて使用するのに適している。
また、カツラ下地キャップの外周縁に保持される弾性部材は、そのスベリ防止面（スベリ止め効果を有する面）がキャップ内面に露出しているので、これが着用者の皮膚に密着して、ズレおよびズレ上がりを有効に防止できる。その結果、カツラ装着時の不快感を解消できる。
【００１６】
本発明において、弾性部材は、カツラ下地キャップに固定されることなくフリーな状態で、挿通路に保持されていることが好ましい。その場合には、弾性部材が劣化した場合に容易に交換することができ、快適な装着感を長期に継続することができる。
【００１７】
本発明において、カツラ本体側に設けられた連結部を係脱可能に受け止める係止部を、カツラ下地キャップの外周面に複数配置した場合には、カツラ本体とカツラ下地キャップの一体性が高まり、快適な装着感が得られる。
【００１８】
本発明において、弾性部材が着用者の頭部サイズに適合させるための長さ調節部を備えている場合には、頭部に対する圧接力を適正に調整できるので、さらに良好な装着感が得られる。
【図面の簡単な説明】
【００１９】
【図１】従来のカツラ下地ネットを説明する概略図。
【図２】本発明のカツラ下地キャップの使用方法を概念的に説明する模式図。
【図３】図２中に示されるカツラ下地キャップの一実施形態を示す斜視図。
【図４】図３中の弾性部材を取り出して示す斜視図（図４ａ）、およびその変形例を示す斜視図（図４ｂ）。
【発明を実施するための形態】
【００２０】
本発明の実施形態を添付の図面を参照して以下に詳細に説明する。図２は、本発明のカツラ下地キャップの使用方法を概念的に説明する模式図であり、図３は、図２中に示したカツラ下地キャップの一例を具体的に示す説明図である。
【００２１】
図２に示したように、カツラ下地キャップ２０は、カツラ本体１０と組み合わせられてカツラを構成し、当該カツラが着用者の頭部に装着される。カツラ本体１０は、ベース１１に多数の擬毛（人工毛または天然毛）１２を植毛して構成されており、後述する方法により、カツラ下地キャップ２０に連結される。なお、図２では擬毛１２を一部のみ図示しているが、実際には、カツラベース１１の全体に渡って適宜の密度および配列にて擬毛１２が植毛される。
【００２２】
カツラ下地キャップ２０を使用すると、カツラ本体１０のベース１１が直接頭皮に触れることがないので装着感が良く、特に、皮膚が過敏となっている人が着用する全カツラと組み合わせて使用するのに適している。
また、詳しくは後述するが、カツラ下地キャップ２０は、その外周縁に挿通路２１を備えていて、挿通路２１内に伸縮可能な弾性部材が保持される。
【００２３】
≪カツラ下地キャップ２０の全体的な構成≫
図３は、一実施形態に係るカツラ下地キャップ２０を示している。カツラ下地キャップ２０は、頭部形状に合わせた略半球の形状とされていて、全体がメッシュ生地等から構成されて伸縮性を有する。カツラ下地キャップ２０は、その外周縁の全周に渡ってループ状の挿通路２１を備える。
図示の例では、挿通路２１は、キャップ端部を袋状に縫製することで形成されており、この挿通路２１内に伸縮可能な帯状の弾性部材２５が保持されている。挿通路２１の具体的な構成方法は、縫製に限られるものではなく、適宜別の方法を採用してもよい。
【００２４】
挿通路２１のキャップ内面側の表面には、複数の内面側開口２２を所定間隔で形成している。弾性部材２５は、これら複数の内面側開口２２を通して、挿通路内２１への出入りを繰り返すよう蛇行し、これにより挿通路２１に保持されている。したがって、弾性部材２５は、キャップ内面側において、所定間隔を置いた複数の位置で露出することとなる。
【００２５】
帯状の弾性部材２５は、少なくとも片側がスベリ防止面２６（スベリ止め効果を有する面）とされており、このスベリ防止面２６がキャップ内面側に向くように、弾性部材２５が挿通路２１内に配置される。したがって、キャップを頭部へ装着したときに、スベリ防止面２６が着用者の皮膚に密着して、ズレおよびズレ上がりを有効に防止できる。
【００２６】
≪スベリ防止面２６≫
スベリ防止面２６は、弾性部材２５の片面にシリコンをプリント加工することで構成されている。ただし、本発明においては、弾性部材２５の伸縮性を阻害せず、スベリ止め効果が得られる限り、具体的な構成は限定されるものではなく、例えば他のエラストマーを利用することも可能である。
また、スベリ防止効果は、少なくとも、弾性部材２５のキャップ内面側に露出する部分に付与されれば足りる。
【００２７】
≪弾性部材の交換を簡単にするための構成≫
弾性部材２５は、挿通路２１内に挿通されることで保持されており、カツラ下地キャップ２０のいずれの箇所にも縫着または固定されておらず、フリーな状態となっている。そのため、劣化により圧接力が不十分となった場合等に、弾性部材２５の交換を簡単にできる。これにより、快適な装着感を長期に継続することができる。
【００２８】
≪一体性を高めるための構成≫
図２を参照して説明した通り、カツラ下地キャップ２０は、カツラ本体１０と組み合わされてカツラを構成する。したがって、何らかの方法で、カツラ本体１０とカツラ下地キャップ２０とを連結し、一体化する必要がある。
このため、カツラ下地キャップ２０は、その外周面に係止部５１、５２、５３を有している。図示の例では、各係止部５１、５２、５３は、ストリップ状の布材を挿通路２１の外面側にブリッジ状に縫い付けて構成されている。
【００２９】
係止部５１は、横方向に延在するブリッジ状に構成されており、カツラ本体１０側に設けたフック部（図示せず）が、これに係合する。係止部５２、５３は、上下方向に延在するブリッジ状に構成されており、カツラ本体１０側に設けた調節ベルト（図示せず）がここに挿通される。すなわち、カツラ本体１０側にはサイズ調節用のベルトが設けられているので、当該ベルトが係止部５２、５３に通される。
このように３つの係止部５１、５２、５３により、カツラ本体１０とカツラ下地キャップ２０を連結し、その一体性を高めている。
【００３０】
なお、このような構成に限らず、カツラ本体１０側に設けた何らかの構造部を利用し、それを係脱可能に受け止める係止部をカツラ下地キャップ２０に複数設けることで、カツラ本体１０とカツラ下地キャップ２０の一体性を高めることができる。
【００３１】
≪弾性部材２５の長さ調節部３０≫
弾性部材２５は、カツラ下地キャップ２０を着用者の頭部に固定するために存在する部材である。弾性部材２５は、それ自身が伸縮性を有しているので、その長さを調節する機構を備えない単純な輪として構成された場合であっても、ある程度その機能を達成することはできる。
しかしながら、着用者の頭部サイズに合わせてその長さを調節できることがより望ましい。図３に示した例では、弾性部材２５は、長さ調節部３０を１つ備えている。長さ調節部３０は、挿通路２１のキャップ外面側に設けられた一対の外面側開口２３ａ、２３ｂを通してキャップ外面側に露出するように配置されている。
【００３２】
図４（ａ）は、図３中で挿通路２１内に配置された弾性部材２５のみを取り出して示している。弾性部材２５は、１本の帯をループ状にしたものであって、その一端２５ａにバックル２８が取り付けられており、他端２５ｂをバックル２８に係合させることで、長さ調節部３０が構成されている。長さ調節部３０がキャップ２０の外面側に露出するので、長さ調節操作が簡単である。
【００３３】
図４（ｂ）は、長さ調節部３０を２つ備える変形例を示している。図示を簡略化するため、２番目の長さ調節部３０は四角の破線で簡略図示している。すなわち、図４（ｂ）において、四角の破線領域内にも同様の長さ調節部３０が外周側を向いて存在する。
この場合、弾性部材２５は、分断された２つの第１部材４１および第２部材４２で構成される。図４（ｂ）では、第２部材の一端４２ａに設けたバックル２８に、第１部材の一端４１ａを係合させて、長さ調節部３０が構成されている。
長さ調節部３０を２つ備える場合、図３において、紙面手前側に図示された長さ調節部３０と同様のものが、紙面向こう側のキャップ側面にも露出することとなる。
【００３４】
≪カツラ下地キャップ２０の素材等≫
カツラ下地キャップ２０は、伸縮性を有していて、適度な締付力をもって頭部に装着できるものであれば、その材質等が特定のものに限定されるものではない。しかしながら、好ましい例として、ポリエステル繊維とポリウレタン弾性繊維の混合繊維からなるメッシュ生地を挙げることができる。この生地は、吸水速乾性も兼ね備える素材である。
【００３５】
さらに、メッシュ生地に対して、消臭加工や抗菌防臭加工を行うことが好ましく、あるいは、保湿効果のあるスキンケア性能を付与してもよい。
また、メッシュ生地を縫製する糸については、伸縮性を有し、消臭機能のある糸が好ましい。
【符号の説明】
【００３６】
１０  カツラ本体
１１  ベース
１２  擬毛
２０  カツラ下地キャップ
２１  挿通路
２２  内面側開口
２３ａ、２３ｂ  外面側開口
２５  弾性部材
２５ａ、２５ｂ  弾性部材の端部
２６  シリコン表面（スベリ防止面）
２８  バックル
３０  長さ調節部
４１  第１部材
４１ａ  第１部材の端部
４２  第２部材
４２ａ  第２部材の端部
５１、５２、５３  係止部
【図１】
2014043663.tif 000003
【図２】
2014043663.tif 000004
【図３】
2014043663.tif 000005
【図４】
2014043663.tif 000006